(57)【要約】【課題】  対向車からの視認性を向上させて歩行者の安全性を確保するとともに、大幅なコストアップを招くことのない傘を提供する。【解決手段】  梁骨２と、梁骨２に張設された張布３とを有する傘１において、張布３の縁部の少なくとも一部に、光反射材４としての蛍光体を含む繊維が設けられていることを特徴とする。光反射材４は、光を反射するプラスチックとすることもできる。また、張布３の縁部の少なくとも一部に、光反射材４としての蛍光体が塗布されていてもよい。【選択図】      図１
0003109006.tif 000002
【実用新案登録請求の範囲】
【請求項１】
梁骨と、
前記梁骨に張設された張布とを有する傘において、
前記張布の縁部の少なくとも一部に、蛍光体を含む繊維が設けられていることを特徴とする傘。
【請求項２】
梁骨と、
前記梁骨に張設された張布とを有する傘において、
前記張布の縁部の少なくとも一部に、光を反射するプラスチックが設けられていることを特徴とする傘。
【請求項３】
梁骨と、
前記梁骨に張設された張布とを有する傘において、
前記張布の縁部の少なくとも一部に蛍光体が塗布されていることを特徴とする傘。
【考案の詳細な説明】
【技術分野】
【０００１】
本考案は、傘、特に、対向車からの視認性を向上させて歩行者の安全性を確保することのできる傘に関するものである。
【背景技術】
【０００２】
我国における傘の保有数は、数年前までは一家に２〜３本が平均的であった。しかし、経済の進展とともに保有数は急速に増大し、現在では一人に１本から、さらには、衣装に合わせてコーディネートするために、各人が数本所有するまでになっている。こうした状況にあっては、安価で利便性のよい傘を提供することは、時代のニーズに合致するものである。
【０００３】
ところで、雨の日や暗い夜道では、傘を差した歩行者は対向車を視認し難い。このため、歩行者は、対向車から我が身を守る上で大きな不安を抱えることになる。
【０００４】
一方、例えば、交通検問を行う警察官や、交通量の多い道路で補修工事等を行う作業者達は、光反射材を使用したベストの着用によって交通事故の防止に対処している。
【０００５】
しかし、こうした光反射材を傘生地の全面に使用した場合には、強い反射光によって運転者の目には傘が眩しく映る。このため、運転の妨げとなって、かえって交通事故を誘発しかねないという問題があった。
【０００６】
また、光反射材を多く使用することによって傘の材料コストの上昇を招き、昨今の価格競争に打ち勝てないという問題もあった。
【考案の開示】
【考案が解決しようとする課題】
【０００７】
本考案はこのような問題点に鑑みてなされたものである。即ち、本考案の目的は、対向車からの視認性を向上させて歩行者の安全性を確保するとともに、大幅なコストアップを招くことのない傘を提供することにある。
【０００８】
本考案の他の目的および利点は、以下の記載から明らかとなるであろう。
【課題を解決するための手段】
【０００９】
本考案の第１の傘は、梁骨（親骨とも言う。以下、本明細書において同じ。）と、この梁骨に張設された張布とを有する傘において、張布の縁部の少なくとも一部に、蛍光体を含む繊維が設けられていることを特徴とするものである。
【００１０】
また、本考案の第２の傘は、梁骨と、この梁骨に張設された張布とを有する傘において、張布の縁部の少なくとも一部に、光を反射するプラスチックが設けられていることを特徴とするものである。
【００１１】
さらに、本考案の第３の傘は、梁骨と、この梁骨に張設された張布とを有する傘において、張布の縁部の少なくとも一部に蛍光体が塗布されていることを特徴とするものである。
【考案の効果】
【００１２】
この考案は以上説明したように、張布の縁部の少なくとも一部に光反射材が設けられているので、対向車からの視認性を向上させて歩行者の安全性を確保することができる。
【考案を実施するための最良の形態】
【００１３】
本考案の目的を達成するために、本考案者は、傘の張布の一部に光反射材を設けた傘を考案した。ここで、傘の張布の一部とは、張布の縁部の少なくとも一部であることが好ましい。
【００１４】
この傘によれば、対向車のヘッドライトの光を効率よく反射できるので、運転者は、雨の日や暗い夜道であっても、傘を差した歩行者を容易に視認することが可能となる。特に、本考案の傘は、通学時の児童または高齢者といった危険を迅速に回避するのが困難な人々が使用するのに有効である。また、張布の全面ではなく部分的にのみ光反射材を使用するので、運転者の運転の妨げとなるほどの強い反射光とはならず、大幅な材料コストの上昇を招くこともない。さらに、張布の縁部に光反射材を設けることによって、傘の機械的強度を向上させることもできる。
【００１５】
以下、本考案の実施の形態について、図面を参照しながらさらに詳細に説明する。
【００１６】
実施の形態１．
図１（ａ）は、本実施の形態にかかる傘を開いた状態の平面図である。また、図１（ｂ）は、図１（ａ）の傘を閉じた状態の側面図であり、張布の縁部の拡大図を併せて示している。
【００１７】
図１（ａ）および（ｂ）に示すように、本実施の形態における傘１は、梁骨（親骨）２と、梁骨２に張設された張布３とを有する。そして、張布３の縁部に、張布３の全周に渡って光反射材４を設けることを特徴としている。光反射材４としては、例えば、蛍光体を含む繊維または光を反射するプラスチックなどを用いることができる。光を反射するプラスチックとしては、例えば、塩化ビニールなどの軟質プラスチックの裏面に極小のプリズムを多数設け、これによって入射した光を屈折させて光源に光を返す反射材などが挙げられる。
【００１８】
例えば、張布３としてプラスチック材料を、光反射材４として蛍光体を含む繊維をそれぞれ用い、この繊維の裁断片を張布３の縁部に沿って置く。そして、ヒートシール加工をすることによって繊維を縁部に圧着する。これにより、光反射材４を縁部に折込溶着することができるので、傘１に当たった光が効果的に反射するようになるとともに、縁部の機械的強度を向上させて傘１の耐久性を高めることもできる。
【００１９】
また、張布３としてプラスチック材料を、光反射材４として光を反射するプラスチックをそれぞれ用い、このプラスチックをテープ状に加工してから張布３の縁部に沿って置く。そして、ヒートシール加工をすることによってプラスチックを縁部に圧着する。これにより、上記と同様に光反射材４を縁部に折込溶着することができる。
【００２０】
さらに、本実施の形態においては、傘１の縁部の全周に蛍光体を含む塗料などを塗布した後に、縁部をヒートシール加工してもよい。このようにすることによっても、傘１に当たった光を効果的に反射させることができる。
【００２１】
本実施の形態においては、反射光の強度を高めるために、張布３は、透明または半透明の材料からなることが好ましく、特に、ヒートシール加工できる点から、透明または半透明のプラスチック材料からなることが好ましい。但し、張布３は光源に光を返すことができるものであればよく、例えば不織布などを用いることもできる。
【００２２】
実施の形態２．
図２は、本実施の形態にかかる傘を開いた状態の平面図である。図に示すように、本実施の形態における傘６は、梁骨（親骨）７と、梁骨７に張設された張布８とを有する。
【００２３】
本実施の形態では、傘６の張布８の縁部の一部、詳しくは、縁部の梁骨７にかかる部分にのみ光反射材９を設けることを特徴としている。このようにすることによっても、傘６に当たった光を効果的に反射することが可能である。また、実施の形態１に比較して、張布８の縁部における機械的強度の向上は小さくなるものの、コストダウンを図ることができる。
【００２４】
光反射材９としては、実施の形態１と同様に、蛍光体を含む繊維または光を反射するプラスチックなどを用いることができる。光を反射するプラスチックとしては、例えば、塩化ビニールなどの軟質プラスチックの裏面に極小のプリズムを多数設け、これによって入射した光を屈折させて光源に光を返す反射材などが挙げられる。
【００２５】
例えば、張布８としてプラスチック材料を、光反射材９として蛍光体を含む繊維をそれぞれ用い、この繊維の裁断片を張布８の縁部に沿って置く。但し、本実施の形態においては、繊維を縁部の全周ではなく、梁骨７にかかる部分にのみ置くようにする。次いで、ヒートシール加工をすることによって繊維を縁部に圧着する。これにより、光反射材９を縁部に折込溶着することができるので、傘６に当たった光が効果的に反射するようになる。また、光反射材９が縁部に部分的に配置されるので、コストの上昇を抑制しつつ、傘６の機械的強度の向上も図ることができる。
【００２６】
また、張布８としてプラスチック材料を、光反射材９として光を反射するプラスチックをそれぞれ用い、このプラスチックをテープ状に加工してから、張布８の縁部に沿うようにして梁骨７にかかる部分にのみプラスチックを置いてもよい。次いで、ヒートシール加工をしてプラスチックを縁部に圧着することによって、上記と同様に光反射材９を縁部に折込溶着することができる。
【００２７】
また、本実施の形態においては、傘６の縁部の梁骨７にかかる部分にのみ蛍光体を含む塗料などを塗布してもよい。その後、縁部をヒートシール加工することによっても、傘６に当たった光を効果的に反射させることができる。また、実施の形態１に比較して、塗料の使用量が少なくて済むので、コストダウンを図ることができる。
【００２８】
尚、本実施の形態においても、反射光の強度を高めるために、張布８は透明または半透明の材料からなることが好ましく、特に、ヒートシール加工できる点から透明または半透明のプラスチック材料からなることが好ましい。但し、張布８は光源に光を返すことができるものであればよく、例えば不織布などを用いることもできる。
【００２９】
実施の形態３．
図３は、本実施の形態にかかる傘を開いた状態の平面図である。図に示すように、本実施の形態における傘１１は、梁骨（親骨）１２と、梁骨１２に張設された張布１３とを有する。
【００３０】
本実施の形態では、傘１１の張布１３の縁部の一部、詳しくは、縁部の梁骨１２にかからない部分にのみ光反射材１４を設けることを特徴としている。このようにすることによっても、傘１１に当たった光を効果的に反射することができる。また、実施の形態１に比較して、張布１３の縁部における機械的強度の向上は小さくなるものの、実施の形態２と同様にコストダウンを図ることができる。
【００３１】
光反射材１４としては、実施の形態１および２と同様に、蛍光体を含む繊維または光を反射するプラスチックなどを用いることができる。光を反射するプラスチックとしては、例えば、塩化ビニールなどの軟質プラスチックの裏面に極小のプリズムを多数設け、これによって入射した光を屈折させて光源に光を返す反射材などが挙げられる。
【００３２】
例えば、張布１３としてプラスチック材料を、光反射材１４として蛍光体を含む繊維をそれぞれ用い、この繊維の裁断片を張布１３の縁部に沿って置く。但し、本実施の形態においては、繊維を縁部の全周ではなく、梁骨１２にかからない部分にのみ置くようにする。次いで、ヒートシール加工をすることによって繊維を縁部に圧着する。これにより、光反射材１４を縁部に折込溶着することができるので、傘１１に当たった光が効果的に反射するようになる。また、光反射材１４が縁部に部分的に配置されるので、コストの上昇を抑制しつつ、傘１１の機械的強度の向上も図ることができる。
【００３３】
また、張布１３としてプラスチック材料を、光反射材１４として光を反射するプラスチックをそれぞれ用い、このプラスチックをテープ状に加工してから張布１３の縁部に沿うようにして梁骨１２にかからない部分にのみ置く。そして、ヒートシール加工をすることによってプラスチックを縁部に圧着する。これにより、上記と同様に光反射材１４を縁部に折込溶着することができる。
【００３４】
また、本実施の形態においては、傘１１の縁部の梁骨１２にかからない部分にのみ蛍光体を含む塗料などを塗布してもよい。その後、縁部をヒートシール加工することによっても、傘１１に当たった光を効果的に反射させることができる。また、実施の形態１に比較して、塗料の使用量が少なくて済むので、コストダウンを図ることができる。
【００３５】
尚、本実施の形態においても、反射光の強度を高めるために、張布１３は透明または半透明の材料からなることが好ましく、特に、ヒートシール加工できる点から透明または半透明のプラスチック材料からなることが好ましい。但し、張布１３は光源に光を返すことができるものであればよく、例えば不織布などを用いることもできる。
【図面の簡単な説明】
【００３６】
【図１】実施の形態１における傘について、（ａ）は傘を開いた状態の平面図、（ｂ）は傘を閉じた状態の側面図である。
【図２】実施の形態２における傘を開いた状態の平面図である。
【図３】実施の形態３における傘を開いた状態の平面図である。
【符号の説明】
【００３７】
１，６，１１  傘
２，７，１２  梁骨
３，８，１３  張布
４，９，１４  光反射材
【図１】
0003109006.tif 000003
【図２】
0003109006.tif 000004
【図３】
0003109006.tif 000005